(57)【要約】      （修正有）【課題】携帯端末装置により表示または編集可能なファイルフォーマットの電子ファイルを受信させることができるファイルフォーマット変換システムを提供する。【解決手段】任意のファイルフォーマットの電子データを別のファイルフォーマットの電子ファイルに変換するファイルフォーマット変換サーバであって、各種携帯端末装置により処理可能なファイルフォーマットの対応関係を記憶するフォーマット選択処理部と、少なくとも一つのファイルフォーマットの電子ファイルをデータ処理可能な携帯端末装置から、電子ファイルと、当該携帯端末装置１の端末種別に関する情報と、を受信する通信制御部と、前記フォーマット選択処理部に記憶した対応関係を参照して、前記携帯端末装置の端末種別に対応するファイルフォーマットを選択により受信した電子ファイルを、前記フォーマット選択処理部により選択したファイルフォーマットの電子ファイルに変換する。【選択図】図１
2006209336.tif 000002
【特許請求の範囲】
【請求項１】
任意のファイルフォーマットの電子データを別のファイルフォーマットの電子ファイルに変換するファイルフォーマット変換サーバであって、
各種携帯端末装置と、各種携帯端末装置によりデータ処理可能なファイルフォーマットと、の対応関係を記憶する第１記憶手段と、
少なくとも一つのファイルフォーマットの電子ファイルをデータ処理可能な携帯端末装置から、電子ファイルと、当該携帯端末装置の端末種別に関する情報と、を受信する第１受信手段と、
前記第１記憶手段に記憶した対応関係を参照して、前記携帯端末装置の端末種別に対応するファイルフォーマットを選択する選択手段と、
前記第１受信手段により受信した電子ファイルを、前記選択手段により選択したファイルフォーマットの電子ファイルに変換する変換手段と、
前記変換手段によりファイルフォーマットを変換した電子ファイルを、前記携帯端末装置に送信する第１送信手段と、
を備えるファイルフォーマット変換サーバ。
【請求項２】
少なくとも一つのファイルフォーマットの電子ファイルをデータ処理可能な携帯端末装置であって、
任意のファイルフォーマットの電子データを別のファイルフォーマットの電子ファイルに変換するファイルフォーマット変換サーバに、電子ファイルと、当該携帯端末装置の端末種別に関する情報と、を送信する第２送信手段と、
前記ファイルフォーマット変換サーバから、当該ファイルフォーマット変換サーバによりファイルフォーマットが変換された電子ファイルを受信する第２受信手段と、
を備える携帯端末装置。
【請求項３】
請求項２記載の携帯端末装置であって、
前記第２送信手段は、前記ファイルフォーマット変換サーバに、当該携帯端末装置によりデータ処理不可のファイルフォーマットの電子ファイルと、当該携帯端末装置の端末種別に関する情報と、を送信する携帯端末装置。
【請求項４】
請求項１記載のファイルフォーマット変換サーバと、請求項２または３記載の携帯端末装置と、により構成されるファイルフォーマット変換システム。
【請求項５】
請求項１記載のファイルフォーマット変換サーバであって、
前記変換手段は、当該変換手段による電子ファイルの変換毎に、当該電子ファイルに変換識別情報を割り当て、
前記第１送信手段は、前記変換手段により変換識別情報を割り当てた電子ファイルを送信するファイルフォーマット変換サーバ。
【請求項６】
請求項５記載のファイルフォーマット変換サーバであって、
前記変換手段により変換する前の電子ファイルのファイルフォーマットと前記変換手段により変換した後の電子ファイルのファイルフォーマットとの組み合わせと、前記変換手段により変換した電子ファイルに割り当てた変換識別情報と、の対応関係を記憶する第２記憶手段と、
前記第２記憶手段に記憶した変換識別情報を参照して、前記第１受信手段により受信した電子ファイルが前記変換手段により変換したことのある電子ファイルであることを検出する検出手段と、を備え、
前記変換手段は、前記検出手段が検出した場合、前記第１受信手段により受信した電子ファイルを、前記第２記憶手段に記憶した組み合わせを参照して、当該電子ファイルの変換前のファイルフォーマットに変換するファイルフォーマット変換サーバ。
【請求項７】
請求項２または３記載の携帯端末装置であって、
前記第２受信手段は、前記ファイルフォーマット変換サーバから、変換識別情報が割り当てられた電子ファイルを受信し、
前記第２送信手段は、前記第２受信手段により受信した後にデータ処理した電子ファイルを送信する携帯端末装置。
【請求項８】
請求項５または６記載のファイルフォーマット変換サーバと、請求項７記載の携帯端末装置と、により構成されるファイルフォーマット変換システム。
【請求項９】
請求項１記載のファイルフォーマット変換サーバであって、
前記第１送信手段は、前記変換手段によりファイルフォーマットを変換した電子ファイルと、前記変換手段による当該電子ファイル変換前のファイルフォーマット情報と、を送信するファイルフォーマット変換サーバ。
【請求項１０】
請求項９記載のファイルフォーマット変換サーバであって、
前記第１受信手段は、電子ファイルと、当該電子ファイル変換前のファイルフォーマット情報と、を受信し、
前記変換手段は、前記第１受信手段により受信した電子ファイルを、当該電子ファイル変換前のファイルフォーマット情報に基づいて、当該電子ファイルの変換前のファイルフォーマットに変換するファイルフォーマット変換サーバ。
【請求項１１】
請求項２または３記載の携帯端末装置であって、
前記第２受信手段は、前記ファイルフォーマット変換サーバから、当該ファイルフォーマット変換サーバによりファイルフォーマットが変換された電子ファイルと、当該電子ファイル変換前のファイルフォーマット情報と、を受信し、
前記第２送信手段は、前記第２受信手段により受信した後にデータ処理した電子ファイルと、当該電子ファイル変換前のファイルフォーマット情報と、を送信する携帯端末装置。
【請求項１２】
請求項９または１０記載のファイルフォーマット変換サーバと、請求項１１記載の携帯端末装置と、により構成されるファイルフォーマット変換システム。
【発明の詳細な説明】
【技術分野】
【０００１】
本発明は、電子ファイルの様々なファイルフォーマットを、携帯端末装置により表示または編集が可能な所定のファイルフォーマットに自動変換するファイルフォーマット変換サーバ、携帯端末装置、および、ファイルフォーマット変換システムに関する。
【背景技術】
【０００２】
パーソナルコンピュータは、一般に、所定のファイルフォーマットの電子ファイルを表示または編集することができるソフトウエアを追加することにより、種々のファイルフォーマットのファイルに対応することができる。一方、携帯電話機のような携帯端末装置は、携帯性などを重視して筐体が小型化されるために、携帯端末装置が備える記憶装置の記憶容量が限られており、パーソナルコンピュータのように複数の上記ソフトウエアを追加することが困難である。このため、携帯端末装置は、限られた種類のファイルフォーマットの電子ファイルのみしか表示または編集することができなかった。
【０００３】
今日では、携帯端末装置は、携帯端末装置が表示または編集することができないファイルフォーマットの電子ファイルを有している場合に、携帯端末装置により表示または編集可能なファイルフォーマットを予め登録しておいたファイルフォーマット変換サーバを利用して、当該電子ファイルをファイルフォーマット変換サーバに送信し、予め登録しておいたファイルフォーマットに変換された電子ファイルをファイルフォーマット変換サーバから受信することにより、種々のファイルフォーマットの電子ファイルの表示または編集を行うことができるファイルフォーマットの自動変換システムが提案されている（例えば、特許文献１参照）。
【０００４】
【特許文献１】特開２００４‐７８３５４号公報
【発明の開示】
【発明が解決しようとする課題】
【０００５】
しかしながら、従来のファイルフォーマットの自動変換システムにおけるファイルフォーマット変換サーバは、予め携帯端末装置利用者により指定されたファイルフォーマットに電子ファイルを変換するものであるため、従来のシステムは、当該サーバへのファイルフォーマットの登録処理を予め行わなければならず、携帯端末装置利用者に手間をかけさせていた。
【０００６】
また、従来のファイルフォーマットの自動変換システムにおけるファイルフォーマット変換サーバは、予め登録された所定のファイルフォーマットに電子ファイルを変換するものであり、一旦ファイルフォーマットを変換した電子ファイルを変換前のファイルフォーマットに戻すことは考慮されていない。携帯端末装置の使用用途として、ファイルフォーマット変換サーバから受信した電子ファイルを編集した後、ファイルフォーマット変換サーバによる変換前のフォーマットに戻して保存あるいは送信すべき場合も考えられるが、従来のシステムは、このような場合に対応することができなかった。
【０００７】
本発明は、上記の事情に鑑みてなされたもので、ファイルフォーマット変換サーバへのファイルフォーマットの登録処理を行うことなしに、携帯端末装置により表示または編集可能なファイルフォーマットの電子ファイルを当該携帯端末装置に受信させることができるファイルフォーマット変換サーバ、携帯端末装置、および、ファイルフォーマット変換システムを提供することを目的とする。
【０００８】
また、本発明は、携帯端末装置がファイルフォーマット変換サーバから受信した電子ファイルを編集した後、その編集した電子ファイルをファイルフォーマット変換サーバによる変換前のフォーマットに戻すことができるファイルフォーマット変換サーバ、携帯端末装置、および、ファイルフォーマット変換システムを提供することを目的とする。
【課題を解決するための手段】
【０００９】
本発明のファイルフォーマット変換サーバは、任意のファイルフォーマットの電子データを別のファイルフォーマットの電子ファイルに変換するファイルフォーマット変換サーバであって、各種携帯端末装置と、各種携帯端末装置によりデータ処理可能なファイルフォーマットと、の対応関係を記憶する第１記憶手段と、少なくとも一つのファイルフォーマットの電子ファイルをデータ処理可能な携帯端末装置から、電子ファイルと、当該携帯端末装置の端末種別に関する情報と、を受信する第１受信手段と、前記第１記憶手段に記憶した対応関係を参照して、前記携帯端末装置の端末種別に対応するファイルフォーマットを選択する選択手段と、前記第１受信手段により受信した電子ファイルを、前記選択手段により選択したファイルフォーマットの電子ファイルに変換する変換手段と、前記変換手段によりファイルフォーマットを変換した電子ファイルを、前記携帯端末装置に送信する第１送信手段と、を備えるものである。
【００１０】
本発明の携帯端末装置は、少なくとも一つのファイルフォーマットの電子ファイルをデータ処理可能な携帯端末装置であって、任意のファイルフォーマットの電子データを別のファイルフォーマットの電子ファイルに変換するファイルフォーマット変換サーバに、電子ファイルと、当該携帯端末装置の端末種別に関する情報と、を送信する第２送信手段と、前記ファイルフォーマット変換サーバから、当該ファイルフォーマット変換サーバによりファイルフォーマットが変換された電子ファイルを受信する第２受信手段と、を備えるものである。
【００１１】
また、本発明の携帯端末装置は、前記第２送信手段は、前記ファイルフォーマット変換サーバに、当該携帯端末装置によりデータ処理不可のファイルフォーマットの電子ファイルと、当該携帯端末装置の端末種別に関する情報と、を送信するものを含む。
【００１２】
本発明のファイルフォーマット変換システムは、本発明のファイルフォーマット変換サーバと、本発明の携帯端末装置と、により構成されるものである。
【００１３】
この構成により、携帯端末装置でユーザが表示または編集の指示を入力するのみで、ファイルフォーマット変換サーバが、携帯端末装置でファイルの表示または編集が行える最適のファイルフォーマットを自動的に選択して携帯端末装置へ返信する。これにより、携帯端末装置にファイルの表示または編集の指示が入力されたとき、ファイルフォーマットの指定操作などによりユーザの手を煩わすことなく、自動的にそのファイルを適切なファイルフォーマットのファイルに変換して、携帯端末装置の画面上で速やかに開いて見ることができる。
【００１４】
また、本発明のファイルフォーマット変換サーバは、前記変換手段が、当該変換手段による電子ファイルの変換毎に、当該電子ファイルに変換識別情報を割り当て、前記第１送信手段が、前記変換手段により変換識別情報を割り当てた電子ファイルを送信するものを含む。
【００１５】
また、本発明のファイルフォーマット変換サーバは、前記変換手段により変換する前の電子ファイルのファイルフォーマットと前記変換手段により変換した後の電子ファイルのファイルフォーマットとの組み合わせと、前記変換手段により変換した電子ファイルに割り当てた変換識別情報と、の対応関係を記憶する第２記憶手段と、前記第２記憶手段に記憶した変換識別情報を参照して、前記第１受信手段により受信した電子ファイルが前記変換手段により変換したことのある電子ファイルであることを検出する検出手段と、を備え、前記変換手段が、前記検出手段が検出した場合、前記第１受信手段により受信した電子ファイルを、前記第２記憶手段に記憶した組み合わせを参照して、当該電子ファイルの変換前のファイルフォーマットに変換するものを含む。
【００１６】
また、本発明の携帯端末装置は、前記第２受信手段が、前記ファイルフォーマット変換サーバから、変換識別情報が割り当てられた電子ファイルを受信し、前記第２送信手段が、前記第２受信手段により受信した後にデータ処理した電子ファイルを送信するものを含む。
【００１７】
この構成により、一度、ファイルフォーマット変換したファイルであっても、ファイルフォーマット変換サーバがファイルフォーマット変換前のファイルフォーマットを記録しているため、ユーザが表示または編集を終了したタイミングで元のファイルフォーマットに自動的に戻すことができる。
【００１８】
また、本発明のファイルフォーマット変換サーバは、前記第１送信手段が、前記変換手段によりファイルフォーマットを変換した電子ファイルと、前記変換手段による当該電子ファイル変換前のファイルフォーマット情報と、を送信するものを含む。
【００１９】
また、本発明のファイルフォーマット変換サーバは、前記第１受信手段が、電子ファイルと、当該電子ファイル変換前のファイルフォーマット情報と、を受信し、前記変換手段が、前記第１受信手段により受信した電子ファイルを、当該電子ファイル変換前のファイルフォーマット情報に基づいて、当該電子ファイルの変換前のファイルフォーマットに変換するものを含む。
【００２０】
また、本発明の携帯端末装置は、前記第２受信手段が、前記ファイルフォーマット変換サーバから、当該ファイルフォーマット変換サーバによりファイルフォーマットが変換された電子ファイルと、当該電子ファイル変換前のファイルフォーマット情報と、を受信し、前記第２送信手段が、前記第２受信手段により受信した後にデータ処理した電子ファイルと、当該電子ファイル変換前のファイルフォーマット情報と、を送信するものを含む。
【００２１】
この構成により、一度、ファイルフォーマット変換したファイルであっても、携帯端末装置がファイルフォーマット変換前のファイルフォーマットを記録しているため、ユーザが表示または編集を終了したタイミングで元のファイルフォーマットに自動的に戻すことができる。
【発明の効果】
【００２２】
本発明のファイルフォーマット変換サーバ、携帯端末装置、および、ファイルフォーマット変換システムによれば、ファイルフォーマット変換サーバへのファイルフォーマットの登録処理を行うことなしに、携帯端末装置により表示または編集可能なファイルフォーマットの電子ファイルを当該携帯端末装置に受信させることができる。
【００２３】
また、本発明のファイルフォーマット変換サーバ、携帯端末装置、および、ファイルフォーマット変換システムによれば、携帯端末装置がファイルフォーマット変換サーバから受信した電子ファイルを編集した後、その編集した電子ファイルをファイルフォーマット変換サーバによる変換前のフォーマットに戻すことができる
【発明を実施するための最良の形態】
【００２４】
以下、本発明の実施の形態のファイルフォーマット変換システムを図面を用いて説明する。
【００２５】
（第１の実施形態）
図１は、本発明の第１の実施形態のファイルフォーマット変換システムを示すブロック図である。図１において、このファイルフォーマット変換システムは、携帯端末装置１と、ファイルフォーマット変換サーバ２と、携帯端末装置１とファイルフォーマット変換サーバ２とを接続するネットワーク３とにより構成される。
【００２６】
携帯端末装置１は、携帯電話機やＰＤＡ（Ｐａｒｓｏｎａｌ  Ｄｉｇｉｔａｌ  Ａｓｓｉｓｔａｎｔ）などであり、少なくとも一つのファイルフォーマットを表示または編集する機能を持つ。前記ＰＤＡは、有する機能（ビューア、エディタなど）を自由に追加、変更することができないタイプの端末を想定している。
【００２７】
ファイルフォーマット変換サーバ２は、携帯端末装置１が表示または編集することができないファイルフォーマットの電子ファイルを携帯端末装置１から受信すると、携帯端末装置１の端末種別により表示または編集可能なファイルフォーマットを自動検出し、検出したファイルフォーマットに変換した電子ファイルを携帯端末装置１に送信する機能を有する。
【００２８】
また、ネットワーク３は、特定の携帯電話サービス用のネットワークや無線ＬＡＮ（Ｌｏｃａｌ  Ａｒｅａ  Ｎｅｔｗｏｒｋ）などのネットワークを含む。
【００２９】
図２および図３は、このような携帯端末装置１、ファイルフォーマット変換サーバ２およびネットワーク３からなるファイルフォーマット変換システムの概念図である。図２は一般の携帯電話網におけるファイルフォーマット変換システムについて述べたものである。図２では、携帯電話機である携帯端末装置１と携帯電話の基地局４とが無線で接続され、基地局４とファイルフォーマット変換サーバ２とが携帯電話網３と携帯電話網の境界に位置するゲートウエイ５とを介して接続されている。ここで、ファイルフォーマット変換サーバ２は一般にインターネットなどの携帯電話網の外のネットワークに配置されており、携帯電話網３と接続するためには異なるネットワークを連結するゲートウェイ５のような特殊な装置が必要になる。
【００３０】
図３は一般の無線ＬＡＮ網におけるファイルフォーマット変換システムについて述べたものである。図３では、携帯端末装置１と無線アクセスポイント６とが無線で接続され、無線アクセスポイント６とファイルフォーマット変換サーバ２とが無線ＬＡＮのネットワーク３を介して有線で接続されている。図３のファイルフォーマット変換システムは、図２の場合と異なり、携帯端末装置１とファイルフォーマット変換サーバ２の間にはゲートウェイは存在しない。
【００３１】
図１において、携帯端末装置１は、ファイルビューア１１と、ファイルエディタ１２と、入力部１３と、ファイル操作部１４と、ファイル格納部１５と、通信制御部１６と、物理通信インタフェース１７とを有する。
【００３２】
これらのうち、ファイルビューア１１は、所定のファイルフォーマットのファイルを表示部（図示せず）に表示するように機能し、例えばＨＴＭＬ（Ｈｙｐｅｒ  Ｔｅｘｔ  Ｍａｒｋｕｐ  Ｌａｎｇｕａｇｅ）ビューア（これは一般のＷｅｂブラウザが有する機能の一つである）、ＰＤＦ（Ｐｏｒｔａｂｌｅ  Ｄｉｇｉｔａｌ  Ａｓｓｉｓｔａｎｔ）ビューアなどが用いられる。
【００３３】
また、ファイルエディタ１２は、所定のファイルフォーマットのファイルを編集するように機能し、例えばテキストエディタやＨＴＭＬエディタなどがある。
【００３４】
入力部１３は、ユーザがファイルを選択して表示または編集の指示をキー操作により入力するものである。
【００３５】
ファイル操作部１４は、ユーザによるファイルの前記選択および指示にもとづき、ファイルを操作するものである。表示や編集の操作が不可能である場合には、端末種別とファイルをファイルフォーマット変換サーバ３に送信して、ファイルフォーマットを変換するように機能する。
【００３６】
ファイル格納部１５は、ファイルを収納するフラッシュメモリやＳＤカードなどの記録デバイスであり、パーソナルコンピュータなどから送信された電子メールに添付されたファイルや、Ｗｅｂからダウンロードしたファイルあるいはパーソナルコンピュータからコピーしたファイルなどを格納するように機能する。
【００３７】
通信制御部１６は、通信プロトコル（例えば、ＴＣＰ/ＩＰ）にもとづくデータ通信を制御するように機能する。また、物理通信インタフェース１７は、無線ＬＡＮなどの無線通信デバイスであり、アンテナ、通信モジュール、制御ドライバ（プログラム）などを含む。
【００３８】
ネットワーク３は、前記のような無線ＬＡＮなどの通信ネットワークであり、携帯端末装置１側は無線アクセス、ファイルフォーマット変換サーバ２側は有線アクセスとなっている。
【００３９】
一方、ファイルフォーマット変換サーバ２は、フォーマット変換制御部２１と、ファイル解析処理部２２と、フォーマット選択処理部２３と、ファイル変換処理部２４と、変換履歴記録部２５と、通信制御部２６と、物理通信インタフェース２７とを有する。
【００４０】
これらのうち、フォーマット変換制御部２１は、物理通信インタフェース２７および通信制御部２６を通して携帯端末装置１からファイルを受信し、下記の各信号処理部を順に呼び出してファイルを適切なファイルフォーマットに変換し、携帯端末１へ送信するように機能する。
【００４１】
ファイル解析処理部２２は、携帯端末装置１から送信されたファイルを解析し、このファイルのファイルフォーマットを識別するように機能する。このファイルフォーマットの識別方法としては、ファイルの中身を解析して識別する方法と、ファイルの拡張子（例えば、．ｄｏｃ、．ｘｌｓなど）から識別する方法がある。なお、本実施形態では、拡張子によりファイルフォーマットを識別するものとする。
【００４２】
フォーマット選択処理部２３は、携帯端末装置の種別に応じて適切なファイルフォーマットを選択するように機能する。この実施形態では、フォーマット選択処理部２３は、表１に示すような携帯端末装置１とファイルフォーマットの対応表を記憶しており、この対応表から適切なファイルフォーマットを選択する。
【００４３】
【表１】
2006209336.tif 000003
【００４４】
ファイル変換処理部２４は、ファイルフォーマットを変換するコンバータと呼ばれるプログラムの集合からなり、例えば、Ｓｏｆｔｗａｒｅｉｎｔｅｒｆａｃｅ社のファイルコンバータなどがある。
【００４５】
変換履歴記録部２５は、記録手段として機能し、変換履歴を記録するＨＤＤなどの記録デバイスであり、変換番号と元のファイルフォーマットを記録する。変換番号は変換サーバ内部で一意な値である。
【００４６】
通信制御部２６は、所定の通信プロトコルにもとづくデータ通信を制御するものである。
【００４７】
物理通信インタフェース２７は、ＡＴＭ（Ａｓｙｎｃｒｏｎｏｕｓ  Ｔｒａｎｓｆｅｒ  Ｍｏｄｅ）やイーサネットなどの有線通信デバイスであり、具体的には、一般にＮＩＣ（Ｎｅｔｗｏｒｋ  Ｉｎｔｅｒｆａｃｅ  Ｃａｒｄ）と呼ばれる物理デバイスに該当する。
【００４８】
次にファイルフォーマット変換システムの動作を説明する。
図４は、携帯端末装置１によりファイルを表示する場合における、ファイルフォーマット変換システムの動作を概念的に示す説明図である。図４は、携帯端末装置１のファイルビューア１１では表示することができないファイルフォーマットであるＷｏｒｄ形式の電子ファイルを、ユーザが表示要求する際の動作の説明図である。
【００４９】
本発明では、文書の表示要求（指示）があると、携帯端末装置１は端末種別およびファイルをファイルフォーマット変換サーバ２へ送信する。ファイルフォーマット変換サーバ２は携帯端末装置１の種別とファイルフォーマットを識別し、自動的に携帯端末装置１に適合するＰＤＦ形式のファイルフォーマットを選択して、ファイルをファイルフォーマット変換し、携帯端末装置１へ送信する。
【００５０】
このため、携帯端末装置１の画面上には、前記表示要求したＷｏｒｄ形式の電子ファイルがファイルビューア１１により表示可能なＰＤＦ形式の電子ファイルが自動的に開かれて、表示されることになる。
【００５１】
図５は、携帯端末装置１によりファイルを表示する場合における、ファイルフォーマット変換システムの動作手順を、さらに詳細に示すフローチャートである。このフローチャートを参照して動作を説明する。
【００５２】
まず、ユーザは入力部１３を操作し、ファイルの表示を指示する（ステップＳ５１１）。ファイル操作部１４は、ファイル格納部１５内の所定のファイルフォーマットのファイルがファイルビューア１１の機能を利用して表示可能な形式である場合には（ステップＳ５１２２、ＹＥＳ）、そのファイルの内容を表示部に表示するようファイルビューア１１に指示する(ステップＳ５１３)。しかし、ファイルフォーマットが表示不可能な形式である場合には（ステップＳ５１２、ＮＯ）、ファイル操作部１４は、通信制御部１６および物理通信インタフェース１７を介して、携帯端末装置１の端末種別、当該ファイル、当該ファイルのファイルフォーマットの変換要求をファイルフォーマット変換サーバ２へ送信する(ステップＳ５１４)。
【００５３】
ファイルフォーマット変換サーバ２では、物理通信インタフェース２７および通信制御部２６を介して、端末種別、ファイル、および、当該ファイルの変換要求を受信する(ステップＳ５２１)。フォーマット変換制御部２１の制御下で、ファイル解析処理部２２は、受信したファイルのファイルフォーマットをファイル拡張子により識別する(ステップＳ５２２)。
【００５４】
さらに、フォーマット選択処理部２３は、携帯端末装置１の端末種別とファイルフォーマットとの対応表から、携帯端末装置１の端末種別に応じて適切なファイルフォーマットを選択する(ステップＳ５２３)。ファイル変換処理部２４は、ステップＳ５２２の処理で識別されたファイルフォーマットを変換前のものとして、ステップＳ５２３の処理で選択されたファイルフォーマットを変換後のものとして、携帯端末装置１から受信したファイルを適切なファイルフォーマットのファイルに変換する(ステップＳ５２４)。そして、フォーマット変換制御部２１は、物理通信インタフェース２７および通信制御部２６を介して、この変換したファイルを携帯端末装置１へ送信する(ステップＳ５２５)。
【００５５】
一方、携帯端末装置１では、ファイルフォーマット変換済みのファイルを受信し(ステップＳ５１５)、この受信したファイルをファイルビューア１１の機能を利用して表示部に表示する(ステップＳ５１６)。
【００５６】
図６は、携帯端末装置１によりファイルを編集する場合における、ファイルフォーマット変換システムの動作を概念的に示す説明図である。図６は、携帯端末装置１のファイルエディタ１２では編集することができないファイルフォーマットであるＷｏｒｄ形式の電子ファイルを、ユーザが編集要求する際の動作の説明図である。
【００５７】
ユーザが、携帯端末装置１の画面上でＷｏｒｄ形式の文書の編集を要求した場合に、文書が開かれない場合には、携帯端末装置１の端末種別およびファイルをファイルフォーマット変換サーバ２へ送信する。
【００５８】
ファイルフォーマット変換サーバ２は携帯端末装置１の端末種別とファイルフォーマットを識別し、これを自動的に携帯端末装置１の表示形式に適合するＨＴＭＬ形式のファイルフォーマットに変換した後、携帯端末装置１へ送信する。このため、ファイルが携帯端末装置１の画面上にファイルエディタ１２により編集可能なＨＴＭＬ形式で表示され、かつ、編集を行うことができる。
【００５９】
また、編集を行なったファイルを再びファイルフォーマット変換サーバ２で、ＨＴＭＬ形式からＷｏｒｄ形式に自動的に逆変換し、前記修正を反映した元のファイル形式で携帯端末上の画面上に表示させることもできる。
【００６０】
図７は、携帯端末装置１によりファイルを編集する場合における、上述のファイルフォーマット変換システムの処理手順を、さらに詳細に示すフローチャートである。
【００６１】
まず、ユーザは入力部１３を操作し、ファイルの編集を指示する（ステップＳ７１１）。ファイル操作部１４は、ファイル格納部１５内の所定のファイルフォーマットのファイルがファイルエディタ１２の機能を利用して編集可能な形式である場合には（ステップＳ７１２、ＹＥＳ）、編集用の画面を表示部に表示してユーザからの編集操作を受け付ける（ステップＳ７１３）。しかし、ファイルフォーマットが編集不可能な形式である場合には（ステップＳ７１２、ＮＯ）、ファイル操作部１４は、通信制御部１６および物理通信インタフェース１７を介して、携帯端末装置１の端末種別、当該ファイル、および、当該ファイルのファイルフォーマットの変換要求をファイルフォーマット変換サーバ２へ送信する(ステップＳ７１４)。
【００６２】
ファイルフォーマット変換サーバ２では、物理通信インタフェース２７および通信制御部２６を介して、端末種別、ファイル、当該ファイルの変換要求を受信し(ステップＳ７２１)、フォーマット変換制御部２１の制御下で、ファイル解析処理部２２は、受信したファイルのファイルフォーマットをファイル拡張子により識別する(ステップＳ７２２)。
【００６３】
さらに、フォーマット選択処理部２３は、携帯端末装置１の端末種別とファイルフォーマットの対応表から、携帯端末装置１の端末種別に応じて適切なファイルフォーマットを選択する(ステップＳ７２３)。ファイル変換処理部２４は、ステップＳ７２２の処理で識別されたファイルフォーマットを変換前のものとして、ステップＳ７２３の処理で選択されたファイルフォーマットを変換後のものとして、携帯端末装置１から受信したファイルを適切なファイルフォーマットのファイルに変換する(ステップＳ７２４)。
【００６４】
また、変換履歴記録部２５は、変換前のファイルフォーマットと変換後のファイルフォーマットとの対を記憶し、その対毎に割り当てた変換番号をステップＳ７２４の処理でファイルフォーマットを変換したファイル毎に付与する(ステップＳ７２５)。その後、フォーマット変換制御部２１は、物理通信インタフェース２７および通信制御部２６を介して、ファイルフォーマット変換済みのファイルと前記変換番号とを携帯端末装置１へ送信する（ステップＳ７２６）。
【００６５】
一方、携帯端末装置１は、ファイルフォーマット変換サーバ２からファイルフォーマット変換済みのファイルと変換番号を受信する（ステップＳ７１５）。その後、携帯端末装置１は、ステップＳ７１５の処理で受信したフォーマット変換済みのファイルを編集することになる(ステップＳ７１６)。
【００６６】
図５および図７に示すように、本実施形態のファイルフォーマット変換システムでは、ユーザがファイルを表示または編集を開始しょうとするタイミングで、自動的に携帯端末装置１からファイルフォーマット変換サーバにファイルが転送され、ファイルフォーマット変換サーバが携帯端末装置１の種別に応じて適切なファイルフォーマットを自動的に選択して変換を行なうため、利便性を高めることができる。
【００６７】
図８は、携帯端末装置１によりファイルを編集した後の、ファイルフォーマット変換システムの処理手順を示すフローチャートである。
まず、ユーザは、入力部１３からファイル編集処理の終了を指示する(ステップＳ８１１)。携帯端末装置１のファイル操作部１４は、編集処理を行ったファイルに変換番号が付与されているか否かを調べ(ステップＳ８１２)、変換番号がない場合には（ステップＳ８１２、ＮＯ）、編集処理を行ったファイルをファイル格納部１５に格納する(ステップＳ８１３)。一方、変換番号がある場合には（ステップＳ８１２、ＹＥＳ）、変換番号、編集済みのファイル、および、編集済みファイルのファイルフォーマットを元に戻す逆変換要求、をファイルフォーマット変換サーバ２へ送信する(ステップＳ８１４)。
【００６８】
ファイルフォーマット変換サーバ２は、変換番号、ファイルおよび逆変換要求を、物理通信インタフェース２７および通信制御部２６を介して受信する(ステップＳ８２１)。フォーマット選択処理部２３は、変換番号を検索して、ステップＳ７２４の処理によるファイルフォーマット変換前のファイルフォーマットの情報を取得するとともに(ステップＳ８２２)、ファイル解析処理部２２は、編集済みのファイルのファイルフォーマットをファイル拡張子から識別する(ステップＳ８２３)。なお、ファイル解析処理部２２は、編集済みのファイルのファイルフォーマットをファイル拡張子から識別するように記載したが、変換番号を検索し、ファイルフォーマット変換後のファイルフォーマット情報から、編集済みのファイルのファイルフォーマットを特定するようにしても良い。
【００６９】
次に、ステップＳ８２２の処理で取得したファイルフォーマットを変換後のものとして、ステップＳ８２３の処理で識別したファイルフォーマットを変換前のものとして、編集済みのファイルのファイルフォーマットを変換し(ステップＳ８２４)、フォーマット変換制御部２１は、物理通信インタフェース２７および通信制御部２６を介して、この変換済みのファイルを携帯端末装置１へ送信する(ステップＳ８２５)。
【００７０】
携帯端末装置１では、ファイルフォーマットが逆変換されたファイルを受信し(ステップＳ８１５)、受信したファイルをファイル格納部１５に格納する(ステップＳ８１６)。これにより、変換前のファイルフォーマットに戻した状態で、携帯端末装置１での一連のファイルの編集処理を終了することができる。
【００７１】
（第２の実施形態）
図９は、本発明の第２の実施形態によるファイルフォーマット変換システムを示すブロック図である。なお、図１に示すものと同一の構成部分には、同一符号を付して、その重複する説明を省略する。
【００７２】
図９では、携帯端末装置１に変換前フォーマット記録部１８がメモリ手段として追加され、一方、ファイルフォーマット変換サーバ２からは変換履歴記録部２５が省かれている。携帯端末装置１に追加された変換前フォーマット記録部１８は、フラッシュメモリなどの記録デバイスからなり、編集対象のファイルのファイルフォーマット変換前のファイルフォーマットを記録する。
【００７３】
次に、この実施携帯のファイルフォーマット変換システムの動作を説明する。ファイル表示の場合におけるファイルフォーマット変換システムの動作は、図５のフローチャートに示すものと同一の手順で実行されるため、ここではその重複する動作説明を省く。
【００７４】
図１０は、携帯端末装置１によりファイルを編集する場合における、ファイルフォーマット変換システムの処理手順を示すフローチャートである。
【００７５】
まず、ユーザは入力部１３を操作し、ファイルの編集を指示する（ステップＳ７１１）。ファイル操作部１４は、ファイル格納部１５内の所定のファイルフォーマットのファイルがファイルエディタ１２の機能を利用して編集可能な形式である場合には（ステップＳ７１２、ＹＥＳ）、編集用の画面を表示部に表示してユーザからの編集操作を受け付ける。しかし、ファイルフォーマットが編集不可能な形式である場合には（ステップＳ７１２、ＮＯ）、ファイル操作部１４は、通信制御部１６および物理通信インタフェース１７を介して、携帯端末装置１の端末種別、当該ファイル、および、当該ファイルのファイルフォーマットの変換要求をフォーマット変換サーバ２へ送信する(ステップＳ７１４)。
【００７６】
ファイルフォーマット変換サーバ２では、物理通信インタフェース２７および通信制御部２６を介して、端末種別、ファイル、当該ファイルの変換要求を受信し(ステップＳ７２１)、フォーマット変換制御部２１の制御下で、ファイル解析処理部２２は、受信したファイルのファイルフォーマットをファイル拡張子にもとづき識別する(ステップＳ７２２)。
【００７７】
さらに、フォーマット選択処理部２３は、携帯端末装置１の端末種別とファイルフォーマットの対応表から、携帯端末装置１の端末種別に応じて適切なファイルフォーマットを選択する(ステップＳ７２３)。ファイル変換処理部２４では、ステップＳ７２２の処理で識別されたファイルフォーマットを変換前のものとして、ステップＳ７２３の処理で選択されたファイルフォーマットを変換後のものとして、携帯端末装置１から受信したファイルを適切なファイルフォーマットのファイルに変換する(ステップＳ７２４)。その後、フォーマット変換制御部２１は、物理通信インタフェース２７および通信制御部２６を介して、ファイルフォーマット変換済みのファイルと変換前のファイルフォーマット情報とを携帯端末装置１へ送信する（ステップＳ１０２１）。
【００７８】
一方、携帯端末装置１は、ファイルフォーマット変換サーバ２からファイルフォーマット変換済みのファイルと変換前のファイルフォーマット情報とを受信し（ステップＳ１０１１）、変換前のファイルフォーマットを変換前フォーマット記録部１８に記録する(ステップＳ１０１２)。その後、携帯端末装置１は、ステップＳ１０１１の処理で受信したフォーマット変換済みのファイルを編集することになる(ステップＳ７１６)。
【００７９】
図１１は、携帯端末装置１によりファイルを編集した後の、ファイルフォーマット変換システムの処理手順を示すフローチャートである。
まず、ユーザは、入力部１３からファイル編集処理の終了を指示する(ステップＳ８１１)。携帯端末装置１のファイル操作部１４は、変換前フォーマット記録部部１８に変換前のファイルフォーマット情報が記録されているか否かを調べ(ステップＳ１１１１)、記録されていない場合には（ステップＳ１１１１、ＮＯ）、編集処理を行ったファイルをファイル格納部１５に格納する（ステップＳ８１３）。一方、変換前のファイルフォーマット情報が記録されている場合には（ステップＳ１１１１、ＹＥＳ）、変換前のファイルフォーマット情報、編集済みのファイル、および、編集済みファイルのファイルフォーマットを元に戻す逆変換要求、をファイルフォーマット変換サーバ２へ送信する(ステップＳ１１１２)。
【００８０】
ファイルフォーマット変換サーバ２は、物理通信インタフェース２７および通信制御部２６を介して、変換前のファイルフォーマット情報、編集済みのファイルおよび逆変換要求を受信する(ステップＳ１１２１)。フォーマット選択処理部２３は、受信した変換前のファイルフォーマット情報を抽出して、携帯端末装置１への出力ファイルフォーマットとする（ステップＳ１１２２）。
【００８１】
また、ファイル解析処理部２２は、編集済みのファイルのファイルフォーマットをファイル拡張子から識別する(ステップＳ８２３)。
【００８２】
ファイル変換処理部２４は、ステップＳ１１２２の処理により取得したファイルフォーマットを変換後のものとして、ステップＳ８２３の処理により識別したファイルフォーマットを変換前のものとして、編集済みのファイルのファイルフォーマットを変換する(ステップＳ８２４)。そして、フォーマット変換制御部２１は、物理通信インタフェース２７および通信制御部２６を介して、この変換したファイルを携帯端末装置１へ送信する(ステップＳ８２５)。
【００８３】
携帯端末装置１では、ファイルフォーマットが逆変換されたファイルを受信し(ステップＳ８１５)、受信したファイルをファイル格納部１５に格納する(ステップＳ８１６)。
【００８４】
このように、一度ファイルフォーマット変換したファイルであっても、携帯端末装置１が変換前のファイルフォーマットを記録しているため、ユーザが編集を終了したタイミングで、元のファイルフォーマットに自動的に再変換する(戻す)ことができる。これにより、変換前のファイルフォーマットに戻した状態で、携帯端末装置１での一連のファイルの編集処理を終了することができる。
【００８５】
なお、本発明の第１の実施形態および第２の実施形態において、ネットワークとして携帯電話網および無線ＬＡＮ網の場合について述べたが、当然、本発明は有線、無線を問わず、あらゆるネットワークに対して同様に有効である。例えば、一般のインターネット、ＷＬＡＮ（Ｗｉｄｅ  Ａｒｅａ  Ｎｅｔｗｏｒｋ）、無線ＭＡＮ（Ｍｅｔｒｏｐｏｌｉｔａｎ  Ａｒｅａ  Ｎｅｔｗｏｒｋ）、無線ＰＡＮ（Ｐｅｒｓｏｎａｌ  Ａｒｅａ  Ｎｅｔｏｗｏｒｋ）などにも同様に適用できる。
【００８６】
また、本発明のフォーマット変換システムが扱うファイルフォーマットは、本発明の第１の実施形態および第２の実施形態で述べたテキスト、ＨＴＭＬ、ＰＤＦ、Ｗｏｒｄ形式だけでなく、あらゆるファイルフォーマットが対象になる。これには音声、画像、映像といったものも含まれる。すなわち、ファイルとして扱うことが可能なデータはすべて本発明のフォーマット変換システムの対象になる。
【産業上の利用可能性】
【００８７】
本発明のファイルフォーマット変換サーバ、携帯端末装置、および、ファイルフォーマット変換システムによれば、ファイルフォーマット変換サーバへのファイルフォーマットの登録処理を行うことなしに、携帯端末装置により表示または編集可能なファイルフォーマットの電子ファイルを当該携帯端末装置に受信させることができ、また、携帯端末装置がファイルフォーマット変換サーバから受信した電子ファイルを編集した後、その編集した電子ファイルをファイルフォーマット変換サーバによる変換前のフォーマットに戻すことができるという効果を有し、電子ファイルの様々なファイルフォーマットを、携帯端末装置により表示または編集が可能な所定のファイルフォーマットに自動変換する分野において有用である。
【図面の簡単な説明】
【００８８】
【図１】本発明の第１の実施形態のファイルフォーマット変換システムを示すブロック図
【図２】本発明のファイルフォーマット変換システムの概念図
【図３】本発明の別のファイルフォーマット変換システムの概念図
【図４】本発明のファイルフォーマット変換システムの動作を概念的に示す説明図
【図５】本発明の第１の実施形態のファイルフォーマット変換システムにおける、ファイル表示時の動作手順を示すフローチャート
【図６】本発明のファイルフォーマット変換システムの別の動作を概念的に示す説明図
【図７】本発明の第１の実施形態のファイルフォーマット変換システムにおける、ファイル編集時の動作手順を示すフローチャート
【図８】本発明の第１の実施形態のファイルフォーマット変換システムにおける、ファイル編集終了後の動作手順を示すフローチャート
【図９】本発明の第２の実施形態のファイルフォーマット変換システムを示すブロック図
【図１０】本発明の第２の実施形態のファイルフォーマット変換システムにおける、ファイル編集時の動作手順を示すフローチャート
【図１１】本発明の第２の実施形態のファイルフォーマット変換システムにおける、ファイル編集終了後の動作手順を示すフローチャート
【符号の説明】
【００８９】
１  携帯端末装置
２  ファイルフォーマット変換サーバ
３  ネットワーク
４  基地局
５  ゲートウェイ
６  アクセスポイント
１１  ファイルビューア
１２  ファイルエディタ
１３  入力部
１４  ファイル操作部
１５  ファイル格納部
１６  通信制御部
１７  物理通信インターフェース
１８  変換前ファイルフォーマット記録部
２１  フォーマット変換制御部
２２  ファイル解析処理部
２３  フォーマット選択処理部
２４  ファイル変換処理部
２５  フォーマット履歴記録部
２６  通信制御部
２７  物理通信インターフェース
【図１】
2006209336.tif 000004
【図２】
2006209336.tif 000005
【図３】
2006209336.tif 000006
【図４】
2006209336.tif 000007
【図５】
2006209336.tif 000008
【図６】
2006209336.tif 000009
【図７】
2006209336.tif 000010
【図８】
2006209336.tif 000011
【図９】
2006209336.tif 000012
【図１０】
2006209336.tif 000013
【図１１】
2006209336.tif 000014